(57)【特許請求の範囲】
【請求項１】
木質系材料の床材を床基盤若しくは床スラブ面に対して複数箇所で支持するとともに、これらの床材どうしを適宜の間隔で釘又はビスで止め付け若しくは部分接着により上下に複数組んで積み上げてなる床構造において、
前記複数の床材の互いに接触する面の少なくとも一方に粗面加工を施し、
粗面加工を施す面を８０番（ＪＩＳ  Ｒ６０１０）以下の粒度を有する研磨材を使用してサンダー加工し、粗面を形成したことを特徴とする床鳴り防止床。
【請求項２】
前記複数の床材として、下地パネル（１）と捨張り（２）、又はこの捨張り（２）上に仕上げ材（６）を設け、あるいは下地パネル（１）と仕上げ材（６）、さらには仕上げ材（６）上にじゅうたん（７）を設け、さらにまた大引き（９１）と根太（９２）及び仕上げ材（６）を用い、じゅうたん（７）と接触する仕上げ材（６）の面と互いに接触する床材の一方の面とが粗面加工されていることを特徴とする請求項１に記載の床鳴り防止床。
【請求項３】
木質系材料の床材の互いに接触する両面を粗面加工したことを特徴とする請求項１又は２に記載の床鳴り防止床。
【発明の詳細な説明】
【０００１】
【発明の属する技術分野】
この発明は、木質系材料の床材（例えば板材若しくは角材）を床基盤若しくは床スラブ面に対して複数箇所で支持するとともに、これらの床材どうしを釘（若しくは部分接着）により上下に組んで積み上げてなる床構造に係り、特に各床材どうしのずれ等によって床鳴りが発生するのを防止した床鳴り防止床に関するものである。
【０００２】
【従来の技術】
例えば集合住宅には、二重床構造のものが各種使用されているが、これらの床構造にあっては、床面に作用する荷重によってきしみ等の床鳴り現象をおこすことがある。
【０００３】
【発明が解決しようとする課題】
即ち、これは木質系材料の板材どうしを釘により固定して或いは釘と部分接着（全面接着したものでは、このような現象は起こらない）により固定して床スラブ面に支持すると、板材どうしが撓み等の曲げ変形をおこし易く、この変形時の曲率の違い等の原因によって互いに接触する面どうしがずれて（或いはこすれて）異音を生じる。特に、この曲げ変形が大きくなると、あるところでいっきに滑り出し、床鳴り現象が発生しているのである。
【０００４】
このような現象は特にこの集合住宅用の二重床構造のものに限定されるものではなく、一般戸建て住宅における床構造にあっても、同様の構造の床材どうしにおいて発生しており、快適な居住環境を達成する上でこのような床鳴り現象の防止が重要な課題となっている。
【０００５】
そこで、この発明は、上記した事情に鑑み、床鳴現象を有効に防止できる床鳴り防止床を提供することを目的とするものである。
【０００６】
【課題を解決するための手段】
即ち、この請求項１に記載の発明は、木質系材料の床材を床基盤若しくは床スラブ面に対して複数箇所で支持するとともに、これらの床材どうしを適宜の間隔で釘又はビスで止め付け若しくは部分接着により上下に複数組んで積み上げてなる床構造において、前記複数の床材の互いに接触する面の少なくとも一方に粗面加工を施し、粗面加工を施す面を８０番（ＪＩＳ  Ｒ６０１０）以下の粒度を有する研磨材を使用してサンダー加工し、粗面を形成したものである。
【０００７】
また、この請求項２に記載の発明は、前記複数の床材として、下地パネルと捨張り、又はこの捨張り上に仕上げ材を設け、あるいは下地パネルと仕上げ材、さらには仕上げ材上にじゅうたんを設け、さらにまた大引きと根太及び仕上げ材を用い、じゅうたんと接触する仕上げ材の面と互いに接触する床材の一方の面とが粗面加工されているものである。さらに、請求項３に記載の発明は、木質系材料の床材の互いに接触する両面を粗面加工したものである。
【０００８】
【発明の実施の形態】
以下、この発明の好適な実施例について添付図面を参照しながら説明する。
図１はこの発明にかかる床鳴り防止床を示す斜視断面図であり、この床鳴り防止床は、下地パネル１と捨張り２との双方が接触する面１Ａ、２Ａ（図２参照）にそれぞれ粗面加工が施されている。
なお、これら下地パネル１や捨張り２は、支持ボルト３及びクッションゴム４によってコンクリート床スラブ５面から所定高さに支持されているとともに、これら双方をくぎ等で固定・圧着している。また、この支持ボルト３はクッションゴム４上面側に固定した受け金具４Ａ及び下地パネル１の下面に固定した受け金具１Ａに形成したねじ孔に螺合されている。
【０００９】
下地パネル１と捨張り２は、適宜の間隔で釘によって止め付けられているが、ビス等によって止め付けてもよい。またこれらの床材は、釘やビス等による止め付けとともに、部分的な張り付けを行ってもよい。
【００１０】
また、これら下地パネル１と捨張り２の各面１Ａ、２Ａには、例えば番手が８０番（ＪＩＳ  Ｒ６０１０）以下の粗い研磨材、例えばサンドペーパー（従って６０、４０、２０番等のものでもよい）を使用したサンダー加工により、摩擦力が一定以下になるように粗面が形成されている。なお、この実施例では、これら双方の接触面に粗面加工を施しているが、いずれか一方の接触面に加工を施したものであっても可能である。
【００１１】
なお、この実施例では、集合住宅における下地パネル１と捨張り２との接触面での粗面処理加工について説明してきたが、例えばこの発明が適用可能な床構造として、図３乃至図６に示すように集合住宅において各種床材の積層・積み上げ構造での接触面についても可能であり、同様の効果を奏することができるものである。これらの実施例において、符号６は仕上げ材（フローリング材）、７はじゅうたんを示す。
また、これらの実施例では、互いに接触する面どうしについて説明してきたが、特にこれに限らず例えば一方が面であって他方が点で接触するような部分についても同様の粗面加工を行うことによって、同様の効果を発揮することが可能である。
【００１２】
また戸建て住宅において、図７に示すような、床基盤５′上の柱８の適宜の高さに積層して組み上げた大引き９１と根太９２との接触面、或いは根太９２と仕上げ材６との接触面等についても、同様の粗面加工を施すことによって、床鳴りを防止することができるのである。
【００１３】
サンダー加工の異なる床材どうしをそれぞれ組み合わせたときの床鳴り現象について表１に示す。
下地パネル（下層側）として、床材の上面に８０番のサンドペーパーサンダー加工したものを使用したものについては、下地パネル（下層側）に用いた床材の種類や、捨張り又はフローリング（上層側）に用いた床材の種類または番手にかかわらず床鳴りが少ない（（１）乃至（９）参照）。
これと比較して、下地パネル（下層側）として、パーティクルボードの上面に１２０番手のサンドペーパーでサンダー加工したものと、捨張り又はフローリング（上層側）として１２０番、１８０番のサンドペーパーでサンダー加工したものを使用したものについては、床鳴りがかなり多い（（１０）乃至（１２））。このとき床材の各組み合わせ（１）乃至（１２）のものを上層側と下層側で入れ換えても、同様の結果が得られた。
【００１４】
【表１】
0003628798.tif 000002
【００１５】
次に、この発明にかかる床鳴り現象の防止効果を確認する床鳴り試験例について以下に説明する。
この床鳴り試験（第１実験例）では、下層側の下地パネルにパーティクルボードＰ２０００タイプを使用し、このパーティクルボードの接触面（上面部分）に１２０番のサンドペーパでサンダー加工を施したものが使用されている。一方、この上側に積層される捨張り材には４０番乃至１００番のサンドペーパーによってサンダー加工を行ったものを使用しており、これらの床材により発生する床鳴り頻度を測定した結果が、図８に示されている。
【００１６】
この図８によれば、約８割のものが床鳴りが気にならないという特定頻度（Ｎ。）となるのは、８０番以下のサンドペーパーを使用して粗面加工を施した場合であった。
【００１７】
また、図８と同様の実験（第２実験例）について説明する。
今度は上層側の捨張りにパーティクルボードＰ２０００タイプのものを使用し、特にこのパーティクルボードの接触面（下面部分）に１２０番のサンドペーパーでサンダー加工を施したものが使用されている。一方、この下側に積層される下地材には４０番乃至１００番のサンダー加工を行ったものを使用しており、これらの床材により発生する床鳴り頻度を測定した結果を図９に示す。
図８及び図９により、どちらか一方の床材どうしの接触面にサンダー加工を施せば、床鳴り防止効果が得られることがわかる。
【００１８】
【発明の効果】
以上説明してきたようにこの発明の床鳴り防止床によれば、木質系材料の床材を床基盤若しくは床スラブ面に対して複数箇所で支持するとともに、これらの床材どうしを適宜の間隔で釘又はビスで止め付け若しくは部分接着により上下に複数組んで積み上げてなる床構造において、前記複数の床材の互いに接触する面の少なくとも一方に粗面加工を施し、粗面加工を施す面を８０番（ＪＩＳ  Ｒ６０１０）以下の粒度を有する研磨材を使用してサンダー加工し、粗面を形成したので、床面に荷重が作用して曲げ変形が生じたときに板材どうしが微妙にずれるので、この変形時に互いに接触する面どうしが急激にずれるのを有効に防止でき、異音が生じる床鳴り現象を未然に防止することができるものである。
【図面の簡単な説明】
【図１】この発明のに係る床鳴り防止床の構成を示す斜視断面図。
【図２】この発明の作用を示す説明図。
【図３】変形例を示す概略断面図。
【図４】変形例を示す概略断面図。
【図５】変形例を示す概略断面図。
【図６】変形例を示す概略断面図。
【図７】変形例を示す概略断面図。
【図８】第１実験例の結果を示すグラフ。
【図９】第２実験例の結果を示すグラフ。
【符号の説明】
１  下地パネル
２  捨て張り
５  コンクリート床基盤
６  仕上げ材
９１  大引
９２  根太
【図１】
0003628798.tif 000003
【図２】
0003628798.tif 000004
【図３】
0003628798.tif 000005
【図４】
0003628798.tif 000006
【図５】
0003628798.tif 000007
【図６】
0003628798.tif 000008
【図７】
0003628798.tif 000009
【図８】
0003628798.tif 000010
【図９】
0003628798.tif 000011